(57)【特許請求の範囲】
【請求項１】
測定時間の設定を受け付けるステップと、
視標マークを表示する表示ステップと、
これに対する被測定者の応答入力を受け付ける応答受付ステップと、
上記応答の正誤を判断する判定ステップと、
上記の表示ステップと応答受付ステップと判定ステップとを前記視力測定時間に達するまで複数回繰り返すステップと、
前記視力測定時間内の一連の視力測定結果のうち、最も低い視力を示す測定値の表示を行う結果表示ステップと
を含む実用視力の測定方法。
【請求項２】
ホストコンピュータと、該ホストコンピュータに電気通信回線によって接続された被測定者のコンピュータとからなるシステムにおいて、
視標マークをホストコンピュータが電気通信回線を介し被測定者のコンピュータに送信して、被測定者のコンピュータディスプレイに視標マークを表示する表示ステップと、
これに対する被測定者の応答入力を、被測定者のコンピュータから電気通信回線を介してホストコンピュータが受信する応答受付ステップと、
ホストコンピュータが上記応答の正誤を判断する判定ステップと、
上記の表示ステップと応答受付ステップと判定ステップとを、ホストコンピュータ上で作動するタイマー機能の設定時間の間、複数回繰り返すステップと、
ホストコンピュータが前記設定時間内の一連の測定結果のうち、最も低い視力を示す測定値を演算し、被測定者のコンピュータに該測定値を送信し、被測定者のコンピュータディスプレイに該測定値の表示を行う結果表示ステップと
を含む実用視力の測定方法。
【請求項３】
被測定者のコンピュータが携帯情報端末である請求項２に記載の視力測定方法。
【請求項４】
被測定者のコンピュータと、該被測定者のコンピュータに接続されたカメラとからなるシステムにおいて、
被測定者の目の画像を動画として得るステップと、
該画像に基づいて瞬きの回数を測定するステップと、
測定された瞬きの回数に基づき、被測定者のコンピュータディスプレイに瞬きの回数またはメッセージあるいはその両方の表示を行うステップであって、測定された瞬きの回数が単位時間ごとの規定回数より減ってきたときに、警告メッセージの表示を行うステップと
を含む視力低下を予防する方法。
【請求項５】
ホストコンピュータと、該ホストコンピュータに電気通信回線によって接続された被測定者のコンピュータと、該被測定者のコンピュータに接続されたカメラとからなるシステムにおいて、
被測定者の目の画像を動画として得るステップと、
該画像に基づいて瞬きの回数を測定するステップと、
測定された瞬きの回数に基づき、被測定者のコンピュータディスプレイに瞬きの回数またはメッセージあるいはその両方の表示を行うステップであって、測定された瞬きの回数が単位時間ごとの規定回数より減ってきたときに、警告メッセージの表示を行うステップと、
該表示に対する被測定者の入力を、被測定者のコンピュータから電気通信回線を介してホストコンピュータが受信する入力受付ステップと、
ホストコンピュータが前記入力に関する被測定者の求める情報を被測定者のコンピュータに送信し、被測定者のコンピュータディスプレイに情報の表示を行う情報表示ステップと
を含む視力低下を予防する方法。
【請求項６】
被測定者のコンピュータが携帯情報端末である請求項４または５に記載の視力低下を予防する方法。
【請求項７】
請求項１〜６のいずれかの方法を実行するためのプログラムを記録したコンピュータ読み取り可能な記録媒体。
【請求項８】
視標マークを表示する表示手段と、
これに対する被測定者の応答を入力を受け付ける応答受付手段と、
この両手段を制御し応答の正誤を判断する制御手段と、
設定された時間の間前記表示手段と前記応答受付手段とを測定状態にするタイマー機能と、
測定結果の表示を行う結果表示手段と
を含む実用視力の測定システム。
【請求項９】
前記タイマー機能の設定される時間が可変であり、測定スタートボタンにより計時が開始されることを特徴とする請求項８記載の実用視力の測定システム。
【請求項１０】
前記制御手段が、応答の正誤の判断により、次に表示する視標マークの指令を前記表示手段に与えることを特徴とする請求項８または９に記載の実用視力の測定システム。
【請求項１１】
前記表示手段が、測定結果のうち最も低い視力を表示することを特徴とする請求項８〜１０のいずれかに記載の実用視力の測定システム。
【請求項１２】
視力測定時間を設定するステップと、
前記視力測定時間の間に視力測定を繰り返すステップと、
前記視力測定の結果を表示するステップと
を有することを特徴とする実用視力の測定方法。
【発明の詳細な説明】
【０００１】
【発明の属する技術分野】
本発明は、視力の測定方法と測定システムに関するものである。さらに詳しくは、本発明は、コンピュータを用いた実用視力の測定システムに関するものである。
【０００２】
【従来の技術】
従来の視力測定器は、その時の一時期の視力を計測するためのものであった。また、従来の視力測定器は、被測定者の立ち位置より５ｍ程度離れた位置にランドルト環やEマーク、平仮名、片仮名等の書かれている視標マークを用いて、その視標マークを認識することが出来たか否かで、測定者がマニュアルで測っていた。
また、色覚の欠如である色盲、色の濃度を認識するコントラスト視力、動いている物体を認識する動体視力、光の点滅であるフリッカー現象を認識する視力などのその他視力を測定するのにも簡便な方法が提供されていなかった。
また、コンピュータに従事する人に対して、視力低下を予防するための警告を促す手段がなかった。このためコンピュータ従事者は長時間コンピュータディスプレイを瞬きもせずに凝視してしまい、ドライアイになり、視力が低下する人が多かった。
【０００３】
【発明が解決しようとする課題】
視力は目を継続して使うことによって落ちていくものである。瞬きもせずにある時間、本やビデオ画面を凝視した後の視力は人によって急激に低下する。例えば高速道路を走行中、瞬きもせずに凝視すると視力が落ちる危険を伴うことがある。
【０００４】
このようなときの視力の低下は、通常でも、人によっては視力1.0程度から0.3程度にまで落ちることがある。この傾向は眼球表面の乾きやすい、いわゆるドライアイと言われる目の持ち主に多いことが分かっている。図２で、凝視時間を横軸に視力を縦軸にとって、ドライアイ傾向の個人の視力測定結果の代表的な例を示す。図２のＭ点は瞬きなどにより視力が回復する状況を示している。
【０００５】
このように従来の視力測定器により測定した視力と、目にストレスがかかる状態にあるときの実際の視力（以下、「実用視力」という）は異なっており、その差異は人によっても、また環境やストレスの程度によっても相当程度大きなものとなる。
【０００６】
また、従来の視標は、壁に取り付けるなど、据え付けにスペースを必要とし、また一旦取り付けると移動には不便であった。このため、実質的には眼科などの専門医院や眼鏡屋等の特殊な場所に限定されて置かれていた。視標が特殊な場所にしかないため、日常生活で毎日測定するなどの定期測定が慣習化が実質的に難しい。そのため、視力悪化傾向になっているときに被測定者が自分の視力悪化傾向への認識が遅れがちになり、目に負担のかからない生活習慣に改めるなどの事前予防が出来なかった。このように、予防医学の見知からも、日常的に気軽に測定できる日常生活に密接に関わるコンパクトでスペースのいらない視力測定方法および装置が望まれている。
【０００７】
以上のように、一時期あるいは瞬間の視力だけでは、被測定者それぞれの実用視力は測定できない。また、日常生活においていつでも利用できるコンパクトでスペースのいらない測定装置も予防医学の見知から必要である。そこで本発明では、凝視による視力低下傾向を考慮した、コンパクトでスペースのいらない実用視力を測定する方法及び測定システムを提供することを目的とする。
また、本発明は、色覚の欠如である色盲、色の濃度を認識するコントラスト視力、動いている物体を認識する動体視力、光の点滅であるフリッカー現象を認識するフリッカー認識視力などのその他視力を測定するのにも簡便な測定方法の提供も目的とする。
また、本発明は、コンピュータディスプレイを瞬きをせずに凝視しがちでドライアイになりやすいコンピュータ従事者に対して、視力低下を予防するための警告を促す方法の提供も目的とする。
【０００８】
上記の目的を達成するため、本発明は、視標マークを表示する表示ステップ１０５と、これに対する被測定者の応答入力を受け付けるための応答受付ステップ１０６と、応答の正誤を判断する判定ステップ１０８と、上記の表示ステップと応答受付ステップと判定ステップとを複数回繰り返すステップと、測定結果の表示を行う結果表示ステップ１１４とを含む実用視力の測定方法を提供する。またこの方法を実行するためのプログラムを記録したコンピュータ読み取り可能な記録媒体も提供する。
視標マークとは、各種視力を測定するのに用いられるマークのことである。視力の測定用には、ランドルト環やＥマーク、平仮名、片仮名等が好適に使用される。または、色盲の測定用にはいろいろな色の点からなる点描画で描かれたものならば、数字、平仮名、片仮名などでよく形態は問わない。コントラスト視力の測定用には、線束の密度の濃淡のあるものであれば形態は問わない。動体視力の測定用には、ディスプレイ上を移動するものならば形態は限定されない。フリッカー現象を認識する視力測定用には、点滅速度を変化させることができるマークならば形態は問わない。
コンピュータ読み取り可能な記録媒体とは、ＦＤ（フロッピー（登録商標）ディスク）、ＣＤ（コンパクトディスク）、ＭＤ（ミニディスク）等の記録媒体を意味するが、コンピュータが読み取り可能なものであれば限定されない。
【０００９】
本発明に係る別の態様として、ホストコンピュータ１０と、該ホストコンピュータ１０に電気通信回線１１によって接続された被測定者のコンピュータ１８とからなるシステムにおいて、視標マークをホストコンピュータ１０が電気通信回線１１を介し被測定者のコンピュータ１８に送信して、被測定者のコンピュータディスプレイ１５に視標マークを表示する表示ステップ１０５と、これに対する被測定者の応答入力を、被測定者のコンピュータ１８から電気通信回線１１を介してホストコンピュータ１０が受信する応答受付ステップ１０６と、ホストコンピュータ１０が上記応答の正誤を判断する判定ステップ１０８と、上記の表示ステップ１０５と応答受付ステップ１０６と判定ステップ１０８とを複数回繰り返すステップと、ホストコンピュータ１０が測定結果を集計し、被測定者のコンピュータ１８に測定結果を送信し、被測定者のコンピュータディスプレイ１５に測定結果の表示を行う結果表示ステップ（１１１〜１１４）とを含む実用視力の測定方法を提供する。また、そのひとつの好ましい他の態様として、被測定者のコンピュータが携帯情報端末１２であることも望ましい。また、この方法を実行するためのプログラムを記録したコンピュータ読み取り可能な記録媒体１９も提供する。
電気通信回線とは、携帯電話等の無線回線、電話回線、ディジタル回線、アナログ回線、ＴＣＰ／ＩＰプロトコルで結ばれたインターネットなども含み、データを送受信するために用いられる通信手段ならば限定されない。
【００１０】
本発明に係る別の態様として、ホストコンピュータ１０と、該ホストコンピュータ１０に電気通信回線１１によって接続された被測定者のコンピュータ１８とからなるシステムにおいて、色盲とコントラスト視力と動体視力とを含むグループから選択されるいずれかの視力を測定する方法であって、視標マークをホストコンピュータ１０が電気通信回線１１を介し被測定者のコンピュータ１８に送信して、被測定者のコンピュータディスプレイ１５に視標マークを表示する表示ステップ２０５と、これに対する被測定者の応答入力を、被測定者のコンピュータ１８から電気通信回線１１を介してホストコンピュータ１０に受信する応答受付ステップ２０６と、ホストコンピュータ１０が上記応答に基づいて判断を行う判定ステップ２０８と、ホストコンピュータが測定結果を集計し、被測定者のコンピュータに測定結果を送信し、被測定者のコンピュータディスプレイに測定結果の表示を行う結果表示ステップ（２１２〜２１５）とを含む視力測定方法を提供する。また、そのひとつの好ましい他の態様として、被測定者のコンピュータが携帯情報端末１２であることも望ましい。またこの方法を実行するためのプログラムを記録したコンピュータ読み取り可能な記録媒体１９も提供する。
【００１１】
本発明に係る別の態様として、ホストコンピュータ１０と該ホストコンピュータ１０に電気通信回線１１によって接続された被測定者のコンピュータ１８とからなるシステムにおいて、フリッカー認識視力を測定する方法であって、視標マークをホストコンピュータ１０が電気通信回線１１を介し被測定者のコンピュータ１８に送信して、被測定者のコンピュータディスプレイ１５に変化する速度で点滅する視標マークを表示する表示ステップ３０５と、被測定者が該視標マークの認識できた点滅を認識できなくなる時点あるいは認識できなかった点滅を認識できるようになった時点での応答入力を、被測定者のコンピュータ１８から電気通信回線１１を介してホストコンピュータ１０が受信する応答受付ステップ３０６と、ホストコンピュータ１０が上記応答入力に対応する点滅速度を記録する点滅速度記録ステップ３０８と、上記の表示ステップ３０５と応答受付ステップ３０６と点滅速度記録ステップ３０８とを一回以上繰り返すステップと、ホストコンピュータ１０が測定結果を集計し、被測定者のコンピュータ１８に測定結果を送信し、被測定者のコンピュータディスプレイ１５に測定結果の表示を行う結果表示ステップ（３０９〜３１２）とを含むフリッカー認識視力の測定方法を提供する。また、そのひとつの好ましい他の態様として、被測定者のコンピュータ１８が携帯情報端末１２であることも望ましい。またこの方法を実行するためのプログラムを記録したコンピュータ読み取り可能な記録媒体１９も提供する。
【００１２】
本発明に係る別の態様として、被測定者のコンピュータ１８と、該被測定者のコンピュータ１８に接続されたカメラ２０とからなるシステムにおいて、被測定者の目の画像を動画として得るステップ４０４と、該画像に基づいて瞬きの回数を測定するステップ４０５と、測定された瞬きの回数に基づき、被測定者のコンピュータディスプレイに瞬きの回数またはメッセージあるいはその両方の表示を行うステップ４０８とを含む視力低下を予防する方法を提供する。また、そのひとつの好ましい他の態様として、被測定者のコンピュータが携帯情報端末１２であることも望ましい。またこの方法を実行するためのプログラムを記録したコンピュータ読み取り可能な記録媒体１９も提供する。
【００１３】
本発明に係る別の態様として、ホストコンピュータ１０と、該ホストコンピュータ１０に電気通信回線１１によって接続された被測定者のコンピュータ１８と、該被測定者のコンピュータ１８に接続されたカメラ２０と、からなるシステムにおいて、被測定者の目の画像を動画として得るステップ４０４と、該画像に基づいて瞬きの回数を測定するステップ４０５と、測定された瞬きの回数に基づき、被測定者のコンピュータディスプレイに瞬きの回数またはメッセージあるいはその両方の表示を行うステップ４０８と、該表示に対する被測定者の入力を、被測定者のコンピュータ１８から電気通信回線１１を介してホストコンピュータ１０が受信する入力受付ステップ４１１と、ホストコンピュータ１０が前記入力に関する被測定者の求める情報をコンピュータ１８に送信し、被測定者のコンピュータディスプレイ１５に情報の表示を行う情報表示ステップ４１２とを含む視力低下を予防する方法を提供する。また、そのひとつの好ましい他の態様として、被測定者のコンピュータが携帯情報端末１２であることも望ましい。またこの方法を実行するためのプログラムを記録したコンピュータ読み取り可能な記録媒体１９も提供する。
【００１４】
本発明に係る別の態様として、視標マークを表示する表示手段４と、これに対する被測定者の応答を入力を受け付ける応答受付手段７と、この両手段を制御し応答の正誤を判断する制御手段６と、設定された時間の間前記表示手段４と前記応答受付手段７とを測定状態にするタイマー機能５と、測定結果の表示を行う結果表示手段８とを含む実用視力の測定システムを提供する。また、その他の好ましい態様のひとつとして、前記タイマー機能５の設定される時間が可変であり、測定スタートボタンにより計時が開始されることも好ましい。さらに、その他の好ましい態様として、前記制御手段６が、応答の正誤の判断により、次に表示する視標マークの指令を前記表示手段８に与えることも好ましい。また、他の好ましい態様として、前記表示手段が、測定結果のうち最も低い視力を表示することも好ましい。
【００１５】
本発明に係る別の態様として、視力測定時間を設定するステップと、前記視力測定時間の間に視力測定を繰り返すステップと、前記視力測定の結果を表示するステップとを有することを特徴とする実用視力の測定方法を提供する。
【００１６】
【実施例】
以下本発明の実施例を、図示例と共に説明する。
［実施例１：実用視力測定システム］
図１は、本発明による一実施例としての、実用視力測定システムの概念構成図で、接眼レンズ２を通してミラー３で屈折させて、視標マークを表示する表示手段としての視標マーク表示部４が覗けるように筐体１の内部に配設されている。表示手段に被測定者が応答するための応答受付手段としてのジョイスティック７、この両手段を制御し応答の正誤を判断する制御手段６と、設定された時間の間前記表示手段と前記応答入力手段とを測定状態にするタイマー機能５と、測定結果の表示を行う液晶表示手段８とが、図１のように、筐体１の内部と表面に配設される。制御手段６は、主としてコンピュータとその上で動作するソフトウエアからなり、視標マーク表示部４、ジョイスティック７、タイマー機能５、結果表示手段８に、接続され、応答の正誤判断、タイマー機能による測定状態の維持、測定結果の演算を行う。なお、５aは、タイマー機能５につけられた、測定スタートボタンである。その回りには、タイマー機能５の設定時間を可変するための設定ダイヤル５ｂが設けられている。
【００１７】
次にこのシステムによる測定の手順を説明する。この実施例にかかるシステムはスタンドアローンの形式でネットワークには接続されていない。
図示していない電源スイッチを入れ、被測定者は接眼レンズ２から視標マーク表示部４を覗きこむ。タイマー機能５の設定ダイヤル５ｂを所定の設定値、例えば１５秒、に合わせ、測定スタートボタン５aを押す、これによって、視力測定が開始される。被測定者は、視標マーク表示部４上に、次々に表示される視標マーク（例えば、円環に刻みがあって開放方向を示すマーク）を凝視し、ジョイスティック７によって回答する。制御手段６は、応答の正誤を判断し、次に表示する視標マークの指令を決定する。応答が正しい時には、次により小さな視標マークの表示を指令し、誤っている時には、次により大きな視標マークの表示を指令する。こうして、例えば、図２に示すように、３秒ごとに、Ｐ０〜Ｐ４の測定点で、タイマー機能５の設定時間が過ぎるまで、継続して測定が行われる。制御手段６は、例えば、この測定結果のうち最も低い視力を示す測定値を演算し、結果表示手段８に表示する。この結果がその被測定者の実用視力を示すことになる。視標マークの表示は、タイマー機能５の設定時間の間、繰り返し行われる。この表示は、上記のように一定時間毎でもよいし、ジョイスティック７よる応答のタイミングによっても良い。後者の場合、応答の早い被測定者では、２秒またはそれ以下の時間毎の視標マークの表示が可能であり、確度のよい結果が得られる。
【００１８】
［実施例２：コンピュータまたは携帯情報端末利用型実用視力測定システム］
図３は、本発明による別の実施例としてのコンピュータまたは携帯情報端末利用型実用視力測定システムを示す模式図である。表示手段としてのコンピュータ１８または携帯情報端末１２のディスプレイ１３、１５は、視標マークを表示する。視標マークはランドルト環やEマーク、平仮名、片仮名等を用いた。被測定者が視標マークを認識確認したという応答を入力するための応答受付手段は、マウス１７、キーボード１６および携帯情報端末の入力部１４が用いられる。応答の正誤を判断する判断手段は、インターネット１１で接続されたホストコンピュータ１０上にソフトウエアプログラムとしてある。設定された測定時間の間、前記表示手段と前記応答受付手段とを測定状態にするタイマー機能は、インターネットで接続されたホストコンピュータ１０上で作動するソフトウエアプログラムとして実現することができる。測定結果を表示する結果表示手段は前述のコンピュータ１８または携帯情報端末１２のディスプレイ１３、１５を使用する。
【００１９】
図４のフローチャートにあるこのシステムによる測定方法を説明する。
被測定者は、コンピュータ１８または携帯情報端末１２からインターネットのインターネットプロトコルの接続方法で、規定のウェブサイトに接続する。被測定者は、規定のウェブサイトのホストコンピュータ１０にＨＴＭＬ等の形式のソースデータを要求し、実用視力測定の初期測定用入力画面を被測定者のコンピュータに転送させる（ステップ１０１〜１０２）。入力画面で測定用入力値を入力する（ステップ１０３)。この入力値は、例えば、「被測定者のディスプレイの大きさ」、「被測定者の目からディスプレイまでの距離」、「タイマー機能の設定時間（測定時間）」等である。これは、キーボードから数値を入力するようにしてもよいし、いくつかの表中から選べるようにしてもよい。また、固定値としておくことも可能である。この入力値はホストコンピュータ１０に送信され記憶される（ステップ１０４）。  次に測定スタートボタンをクリックする。これによって視標マークが被測定者のディスプレイ１３、１５に表示され始め、視力測定が開始される（ステップ１０５）。
【００２０】
被測定者は、ディスプレイ１３、１５に表示される視標マークを凝視し、キーボード１６またはマウス１７、携帯情報端末入力部１４によって、応答を入力する。この応答はインターネットを介してホストコンピュータ１０に伝えられる。このホストコンピュータ１０上の判定手段は、応答の正誤を判断し、ディスプレイ１３、１５上に次に表示する視標マークの指令を決定する（ステップ１０８）。応答が正しい時は次により小さな視標マークの表示を指令し、誤っている時には次により大きな視標マークの表示を指令する（ステップ１０９〜１１０）。図２に示すように、例えば３秒ごとにＰ０〜Ｐ４の測定点で、タイマー機能の設定時間が過ぎるまで、測定が行われる。制御手段は、例えば、これらの応答データである測定結果を集計し、これらのうち最も低い視力を示す視力の測定値を集計する。この視力の測定結果を結果表示手段であるディスプレイ１３、１５上に表示する。あるいは、最初のいくつかの測定結果は除外して、設定期間の後半の測定結果の中から最も低い視力を示す測定値を選択して実用値とし結果をディスプレイ１３、１５上に表示する（ステップ１１１〜１１４）。この結果がその被測定者の実用視力を示すことになる。視標マークの表示は、タイマー機能の設定時間の間、繰り返し行われる。この表示は、上記のように一定時間毎でもよいし、応答受付手段による応答のタイミングによっても良い。後者の場合、応答の早い被測定者では、２秒またはそれ以下の時間毎の視標マークの表示が可能であり、確度のよい結果が得られる。
【００２１】
［実施例３：コンピュータまたは携帯情報端末利用型色盲測定システム］
図３は、本発明に係る別の実施例としてのコンピュータまたは携帯情報端末利用型実用視力測定システムを示す模式図である。表示手段としてのコンピュータ１８または携帯情報端末１２のディスプレイ１３、１５は、視標マークを表示する。視標マークは色盲の測定用にいろいろな色の点からなる点描画で描かれたものを用い、数字、平仮名、片仮名などを用いる。被測定者が視標マークを認識確認したという応答を入力するための応答受付手段は、マウス１７、キーボード１６および携帯情報端末の入力部１４が用いられる。応答の正誤を判断する判断手段は、インターネット１１で接続されたホストコンピュータ１０上にソフトウエアプログラムとしてある。設定された測定時間の間、前記表示手段と前記応答受付手段とを測定状態にするタイマー機能は、インターネットで接続されたホストコンピュータ１０上で作動するソフトウエアプログラムとして実現することができる。測定結果を表示する結果表示手段は前述のコンピュータ１８または携帯情報端末１２のディスプレイ１３、１５を使用する。
【００２２】
図５のフローチャートにあるこのシステムによる測定方法を説明する。
被測定者は、コンピュータ１８または携帯情報端末１２からインターネットのインターネットプロトコルの接続方法で、規定のウェブサイトに接続する。被測定者は、規定のウェブサイトのホストコンピュータ１０にＨＴＭＬ等の形式のソースデータを要求し、実用視力測定の初期測定用入力画面を被測定者のコンピュータに転送させる（ステップ２０１〜２０２）。入力画面で測定用入力値を入力する（ステップ２０３)。この入力値は、例えば、「被測定者のディスプレイの大きさ」、「タイマー機能の設定回数（測定回数）」等である。これは、キーボードから数値を入力するようにしてもよいし、いくつかの表中から選べるようにしてもよい。また、固定値としておくことも可能である。この入力値はホストコンピュータ１０に送信され記憶される（ステップ２０４）。次に測定スタートボタンをクリックする。これによって視標マークが被測定者のディスプレイ１３、１５に表示され始め、視力測定が開始される（ステップ２０５）。被測定者は、ディスプレイ１３、１５に表示される視標マークを凝視し、キーボード１６またはマウス１７、携帯情報端末入力部１４によって、応答を入力する。
【００２３】
この応答はインターネットを介してホストコンピュータ１０に伝えられる。このホストコンピュータ１０上の判定手段は、応答の内容を判断し、ディスプレイ１３、１５上に次に表示する視標マークの指令を決定する（ステップ２０８）。例えば、応答が期待される答えに合致する時は正解数を、合致しないときは不正解回数をカウントする（ステップ２０９、２１１）。これらの応答データである測定結果を集計し、色盲であるかどうかを判断する（ステップ２１２〜２１３）。この色盲かどうかの結果をホストコンピュータ１０は被測定者のコンピュータ１８に送信し、結果表示手段であるディスプレイ１３、１５上に表示する（ステップ２１４〜２１５）。視標マークの表示は、タイマー機能の設定回数の間、繰り返し行われる。この表示は、上記のように一定時間毎でもよいし、応答受付手段による応答のタイミングによっても良い。
また、測定回数の設定を行わず、色盲についての十分な情報が得られたと判断される時点で、視標マークの表示を打ち切ることもできる。
【００２４】
［実施例４：コンピュータまたは携帯情報端末利用型コントラスト視力測定システム］
本発明に係る他の実施例として、コンピュータまたは携帯情報端末利用型コントラスト視力測定システムを説明する。
コントラスト視力測定システムは視標マークをコントラスト用に変更したい以外はシステムの構成、測定方法は実施例３と同様である。コントラスト視力測定用の視標マークは、線束の密度の濃淡のあるものを用いた。
【００２５】
［実施例５：コンピュータまたは携帯情報端末利用型動体視力測定システム］
本発明に係る他の実施例として、コンピュータまたは携帯情報端末利用型動体視力測定システムを説明する。
動体視力測定システムは視標マークを動体視力測定用に変更したい以外はシステムの構成、測定方法は実施例３と同様である。動体視力測定用の視標マークは、ディスプレイ上を移動するものを用いた。
【００２６】
［実施例６：コンピュータまたは携帯情報端末利用型フリッカー認識視力測定システム］
図３は、本発明に係る別の実施例としてのコンピュータまたは携帯情報端末利用型フリッカー認識視力測定システムを示す模式図である。表示手段としてのコンピュータ１８または携帯情報端末１２のディスプレイ１３、１５は、視標マークを表示する。視標マークはフリッカー認識視力測定用に、点滅速度が変化するマークを用いた。被測定者が視標マークの認識できた点滅を認識できなくなる点あるいは認識できなかった点滅を認識できるようになった点での応答入力のための応答受付手段は、マウス１７、キーボード１６および携帯情報端末の入力部１４が用いられる。応答時の点滅速度（フリッカー認識速度）を記録する判断手段は、インターネット１１で接続されたホストコンピュータ１０上にソフトウエアプログラムとしてある。設定された測定回数の間、前記表示手段と前記応答受付手段とを測定状態にするタイマー機能は、インターネットで接続されたホストコンピュータ１０上で作動するソフトウエアプログラムとして実現することができる。測定結果を表示する結果表示手段は前述のコンピュータ１８または携帯情報端末１２のディスプレイ１３、１５を使用する。
【００２７】
図６のフローチャートにあるこのシステムによる測定方法を説明する。
被測定者は、コンピュータ１８または携帯情報端末１２からインターネットのインターネットプロトコルの接続方法で、規定のウェブサイトに接続する。被測定者は、規定のウェブサイトのホストコンピュータ１０にＨＴＭＬ等の形式のソースデータを要求し、フリッカー認識視力測定の初期測定用入力画面を被測定者のコンピュータに転送させる（ステップ３０１〜３０２）。入力画面で測定用入力値を入力する（ステップ３０３)。この入力値は、例えば、「被測定者のディスプレイの大きさ」、「タイマー機能の設定時間（測定時間）」等である。これは、キーボードから数値を入力するようにしてもよいし、いくつかの表中から選べるようにしてもよい。また、固定値としておくことも可能である。この入力値はホストコンピュータ１０に送信され記憶される（ステップ３０４）。次に測定スタートボタンをクリックする。これによって視標マークが被測定者のディスプレイ１３、１５に表示され始め、フリッカー認識視力測定が開始される（ステップ３０５）。被測定者は、ディスプレイ１３、１５に表示される視標マークを凝視し、キーボード１６またはマウス１７、携帯情報端末入力部１４によって、認識できた点滅が認識できなくなる点あるいは認識できなかった点滅を認識できるようになった点を応答として入力する。この応答はインターネットを介してホストコンピュータ１０に伝えられる（ステップ３０６）。応答したときの点滅（フリッカー）速度をホストコンピュータはカウントし記録する（ステップ３０８）。視標マークの表示は、タイマー機能の設定回数の間、一回以上繰り返し行われる。この表示は、一定時間毎でもよいし、応答受付手段による応答のタイミングによっても良い。
【００２８】
［実施例７：視力低下予防システム］
図３は、本発明に係る別の実施例としての視力低下予防システムを示す模式図である。メッセージ表示手段としてのコンピュータ１８、このコンピュータに接続されたカメラ２０がある。
長時間コンピュータに従事しながら仕事をしていると、ディスプレイを凝視しがちになり、瞬きの回数が減ってくる。このためドライアイという症状が起こりやすい。実施例７では、カメラによって、瞬きの回数が単位時間ごとの規定回数より減ってきたとき、被測定者の視力悪化傾向の通知や目に関する生活習慣のチェック等の警告メッセージや、適切な目薬等の視力補正品を販促するメッセージをディスプレイに表示できるようにする。この警告メッセージは、「目を休ませましょう！」等の表示をディスプレイ上に表示する。遠方をあたかも見ているような目の筋肉を張る動作を促す視力を悪化させないマーク表示をディスプレイ上に表示してもよい。さらに、「テレビや本を近くで見てませんか？」や「部屋の明るさはどうですか？」等の生活習慣を改めさせるメッセージを表示してもよい。
【００２９】
図７のフローチャートにあるこのシステムによる視力低下予防方法を説明する。
被測定者は、コンピュータ１８のディスプレイ１５に表示された入力画面で平常時の瞬きの回数等の入力値を入力する（ステップ４０１）。この入力値は、例えば、「平常時の瞬きの回数」のほかに、「年齢」等である。これは、キーボードから数値を入力するようにしてもよいし、いくつかの表中から選べるようにしてもよい。また、固定値としておくことも可能である。この入力値より、被測定者のコンピュータ１８で警告瞬きの回数が規定の計算式により計算され、記憶される（ステップ４０２）。被測定者はカメラを目の瞬きが撮影できるように向きと焦点を合わせる。次にディスプレイに表示されている測定スタートボタンをクリックし、カメラによって目の画像を撮影し動画として得る（ステップ４０４）。この動画に基づいて測定し始める（ステップ４０５）。測定された瞬きの回数が警告を瞬きの回数以下になったとき、警告のメッセージを被測定者のディスプレイ１５に表示する（ステップ４０８）。この警告メッセージは前述したように、「目を休ませましょう！」等のメッセージをディスプレイ上に表示する。警告メッセージを表示するときに、瞬きの回数を同時に表示してもよい。また、瞬きの回数の表示を瞬きの回数によらずに（警告メッセージの表示がなくても）、常時単独でディスプレイに表示してもよい。
【００３０】
警告メッセージ画面が表示されたときに、被測定者の瞬きの回数に応じて、目に関する生活習慣の改善アドバイスや適切な視力補正、視力低下予防商品の紹介に関する処方箋情報が受けられる。この処方箋情報に関するデータは被測定者のコンピュータ１８に予め記憶させておいてもよいが、アップデートを容易にするため、本実施例では、ホストコンピュータ１０に記憶されているものとする。被測定者はインターネット１１を経由して、この処方箋情報のソースデータをホストコンピュータ１０に要求する。この要求に対して、処方箋情報画面を被測定者のコンピュータに転送する。この結果、処方箋情報が被測定者のディスプレイ１５に表示される（ステップ４１２）。
【００３１】
図示しないが、本発明に係る別の実施例について次に述べる。視標マークを提示する提示手段を大型のスクリーンとプロジェクタから構成してもよい。この場合、視標マークはプロジェクタからスクリーンに投影され、プロジェクタは制御手段に接続される。被測定者は、スクリーンの視標マークを凝視し、ジョイスティックやキーボード等の応答入力手段によって回答する。
また、ディスプレイに表示される視標マークは、従来のランドルト環やEマーク、平仮名、片仮名等だけではなく、アニメーションキャラクター、交通標識等など、上下左右などの方向を示すマークならどんなものでもよい。また、自動車サーキットゲームなどで被測定者が運転手の役割となり、ゲーム上で道路の前方で出てくる交通標識が出るなどの動体視力を検査させるものであってもよい。応答受付手段は、コンピュータに接続されているキーボードやマウス、携帯情報端末入力部に限らず、応答を告げるためのジョイスティックやコードレスのマウス等の光通信入力装置でもよい。制御手段、設定時間のタイマー機能を担うプログラムは、インターネットで接続されたウェブサイト上にソフトウエアプログラムとしてあるだけでなく、ＣＤ−ＲＯＭ、ＤＶＤなどのプログラムを記録したコンピュータ読み取り可能な記録媒体記録媒体上にあって、眼科や眼鏡屋などのノベルティグッズとして配布してもよい。また、測定を定期的にして結果をウェブサイトやユーザのハードディスクなどの記録媒体に残すことによって、測定結果の時系図を表示したり、プリントアウトできる機能があってもよい。また、この時系図を眼科医の問診の際に使用できるようにデータを加工してもよい。
【００３２】
【発明の効果】
以上説明したように、本発明の実用視力測定システムを提供すれば、繰り返し測定時間を設定するタイマー機能を設けて凝視による視力低下傾向も考慮し、コンパクトなので従来の装置のスペースも不必要で、実用視力を測定できるようになった。また、コンピュータや携帯情報端末で実用視力測定、色盲測定、コントラスト視力測定、動体視力測定、フリッカー認識視力測定を行うことができるようになった。またコンピュータ作業による目の疲労と関係のある瞬きの回数を測定することにより、休憩をとる必要などを被測定者に認識させることができるようになった。
【図面の簡単な説明】
【図１】本発明による一実施例としての、実用視力測定システムの概念構成図である。
【図２】ドライアイ傾向にある個人の視力測定結果の代表的な例を示す図である。
【図３】本発明による一実施例としての、実用視力測定システムの概念構成図である。
【図４】本発明の一実施例としての、コンピュータまたは携帯情報端末による実用視力測定方法を示すフローチャートである。
【図５】本発明の一実施例としての、コンピュータまたは携帯情報端末による色盲、コントラスト視力、動体視力等の視力測定方法を示すフローチャートである。
【図６】本発明の一実施例としての、コンピュータまたは携帯情報端末によるフリッカー認識視力測定方法を示すフローチャートである。
【図７】本発明の一実施例としての、コンピュータによる視力低下予防方法を示すフローチャートである。
【符号の説明】
１  筐体
２  接眼レンズ
３  ミラー
４  視標マーク表示部（提示手段）
５  タイマー
５a  測定スタートボタン
５b  設定ダイヤル
６  制御手段
７  ジョイスティック
８  結果表示手段
Ｐ０〜Ｐ４  測定点
Ｍ  瞬きなどにより視力が回復する状況になる時点
１０  ホストコンピュータ
１１  インターネット
１２  携帯情報端末
１３  ディスプレイ（表示画面）
１４  入力部
１５  ディスプレイ
１６  キーボード
１７  マウス
１８  コンピュータ本体
１９  記録媒体
２０  カメラ
【図１】
0004638007.tif 000002
【図２】
0004638007.tif 000003
【図３】
0004638007.tif 000004
【図４】
0004638007.tif 000005
【図５】
0004638007.tif 000006
【図６】
0004638007.tif 000007
【図７】
0004638007.tif 000008